(57)【特許請求の範囲】
【請求項１】
原稿を載置するための透光性を有する載置面と、
前記載置面の裏面側において、第１方向に往復移動可能に設けられた読取部と、
前記載置面を覆うカバーと、
前記カバーの開閉状態を検出する検出手段と、
前記第１方向における読取範囲端を決定する第１決定手段と、
前記第１方向における前記読取部の基準位置と前記第１決定手段により決定される前記第１方向の読取範囲端との間において、前記読取部を移動させつつ、前記原稿を読み取る読取制御手段と、
前記読取制御手段により前記原稿の読み取りを開始する前に、前記検出手段により前記カバーの開状態が検出されることを条件として、前記第１方向の読取範囲端を示す位置まで前記読取部を移動させる移動制御手段とを備える読取装置。
【請求項２】
前記読取部は、前記載置面に載置された原稿を照射する光源を備え、
前記読取制御手段は、前記光源から出射されて前記原稿で反射された反射光に基づいて前記原稿を読み取るものであり、
前記読取制御手段により前記原稿の読み取りを開始する前において、前記第１方向の読取範囲端に位置する前記読取部の光源から、光を出射させる光制御手段を備える請求項１記載の読取装置。
【請求項３】
前記光源は、前記第１方向と交差する第２方向に沿って複数個配列されたものであり、
前記第２方向における読取範囲端を決定する第２決定手段を備え、
前記光制御手段は、前記複数個の光源のうち少なくとも、前記第１決定手段により決定された前記第１方向の読取範囲端と、前記第２決定手段により決定された前記第２方向の読取範囲端との交点の位置を示す光源から、光を出射させる請求項２記載の読取装置。
【請求項４】
前記読取制御手段は、
前記移動制御手段により前記第１方向の読取範囲端を示す位置まで前記読取部を移動させた後に前記原稿の読み取りを開始する場合、前記第１方向の読取範囲端を示す位置から前記基準位置へ向かう方向へ、前記読取部を移動させつつ、前記原稿を読み取る請求項１から３のいずれかに記載の読取装置。
【請求項５】
前記読取制御手段により前記原稿を読み取った後、所定時間以上を経過しているかを判断する時間判断手段を備え、
前記移動制御手段は、前記時間判断手段により、前記原稿を読み取った後、前記所定時間以上を経過していると判断されることを条件として、前記第１方向の読取範囲端を示す位置まで前記読取部を移動させる請求項１から４のいずれかに記載の読取装置。
【請求項６】
前記載置面に載置された原稿のサイズに応じて読取範囲を自動的に決定する設定が選択されているかを判断する設定判断手段を備え、
前記移動制御手段は、前記設定判断手段により、前記読取範囲を自動的に決定する設定が選択されていないと判断されることを条件として、前記第１方向の読取範囲端を示す位置まで前記読取部を移動させる請求項１から５のいずれかに記載の読取装置。
【発明の詳細な説明】
【技術分野】
【０００１】
本発明は、読取装置に関する。
【背景技術】
【０００２】
フラットベッドタイプの読取装置は、主走査方向を長手方向とする長尺の読取部を、透光性のある原稿台に沿って副走査方向に移動させつつ、原稿を読み取る。ここで、原稿の読取範囲が予め設定されている場合、読取部はホームポジションから、副走査方向の読取範囲端まで移動し、読取部の移動範囲内において、原稿を読み取る。
【先行技術文献】
【特許文献】
【０００３】
【特許文献１】特開平１１−５５４６９号公報
【発明の概要】
【発明が解決しようとする課題】
【０００４】
したがって、ユーザが誤って、読取範囲からはみ出るような置き方で原稿を載置した場合、原稿の一部が読み取られず、読み取りに失敗するという問題点があった。例えば、副走査方向における読取範囲が、Ａ４サイズの原稿の短辺長さ（幅）に合わせて設定され、主走査方向における読取範囲が、Ａ４サイズの原稿の長辺長さ（高さ）に合わせて設定されている場合において、ユーザが誤って、Ａ４サイズの原稿をその高さ方向が副走査方向と平行になる向きで載置した場合、原稿の高さ方向の一部が読取範囲からはみ出るので、読み取りに失敗することになる。
【０００５】
本発明は、上述した問題点を解決するためになされたものであり、原稿の置き方に誤りが生じることを抑制できる読取装置を提供することを目的とする。
【課題を解決するための手段】
【０００６】
この目的を達成するために、本発明の読取装置は、原稿を載置するための透光性を有する載置面と、前記載置面の裏面側において、第１方向に往復移動可能に設けられた読取部と、前記載置面を覆うカバーと、前記カバーの開閉状態を検出する検出手段と、前記第１方向における読取範囲端を決定する第１決定手段と、前記第１方向における前記読取部の基準位置と前記第１決定手段により決定される前記第１方向の読取範囲端との間において、前記読取部を移動させつつ、前記原稿を読み取る読取制御手段と、前記読取制御手段により前記原稿の読み取りを開始する前に、前記検出手段により前記カバーの開状態が検出されることを条件として、前記第１方向の読取範囲端を示す位置まで前記読取部を移動させる移動制御手段とを備える
。
【０００７】
また、上記の読取装置において、前記読取部は、前記載置面に載置された原稿を照射する光源を備え、前記読取制御手段は、前記光源から出射されて前記原稿で反射された反射光に基づいて前記原稿を読み取るものであり、前記読取制御手段により前記原稿の読み取りを開始する前において、前記第１方向の読取範囲端に位置する前記読取部の光源から、光を出射させる光制御手段を備えていても良い。
【０００８】
なお、本発明は、読取装置を制御する制御装置、読取方法、読取制御プログラム、該プログラムを記録する記録媒体等の種々の態様で実現可能である。
【発明の効果】
【０００９】
請求項１記載の読取装置によれば、原稿の読み取りを開始する前に、第１方向の読取範囲端を示す位置まで読取部が移動させられる。ここで、載置面は透光性を有するので、ユーザは、載置面を通して読取部の位置を視認できる。したがって、ユーザは、読取部の位置によって、第１方向における読取範囲端を知った上で、原稿を載置できるので、原稿の置き方に誤りが生じることを抑制できるという効果がある。また、カバーの開状態が検出されることを条件として、第１方向の読取範囲端を示す位置まで読取部を移動させるので、読取部をユーザが視認できる状態において、読取部を移動させることができるという効果がある。
【００１０】
請求項２記載の読取装置によれば、請求項１記載の読取装置の奏する効果に加え、第１方向の読取範囲端に位置する読取部の光源から、光が出射されるので、第１方向における読取範囲端をユーザに明確に示すことができ、原稿の置き方に誤りが生じることを抑制できるという効果がある。
【００１１】
請求項３記載の読取装置によれば、請求項２記載の読取装置の奏する効果に加え、第１方向の読取範囲端と、第２方向の読取範囲端との交点の位置を示す光源から、光が出射されるので、第１方向における読取範囲端と第２方向における読取範囲端とを、ユーザに明確に示すことができ、原稿の置き方に誤りが生じることを抑制できるという効果がある。
【００１２】
請求項４記載の読取装置によれば、請求項１から３のいずれかに記載の読取装置の奏する効果に加え、第１方向の読取範囲端を示す位置まで読取部を移動させた後に原稿の読み取りを開始する場合には、第１方向の読取範囲端を示す位置から基準位置へ向かう方向へ、読取部を移動させつつ原稿が読み取られるので、読取部を基準位置に戻してから読み取りを開始する場合に比較して、処理時間を短縮できるという効果がある。
【００１３】
【００１４】
請求項５記載の読取装置によれば、請求項１から４のいずれかに記載の読取装置の奏する効果に加え、原稿を読み取った後、所定時間以上を経過していると判断されることを条件として、第１方向の読取範囲端を示す位置まで読取部が移動されるので、ユーザが読取範囲を把握していない可能性が高い場合において、読取範囲をユーザに示すことができるという効果がある。
【００１５】
請求項６記載の読取装置によれば、請求項１から５のいずれかに記載の読取装置の奏する効果に加え、読取範囲を自動的に決定する設定が選択されていないと判断されることを条件として、第１方向の読取範囲端を示す位置まで読取部が移動されるので、読取範囲からはみ出るように原稿が置かれる可能性がある場合において、読取範囲をユーザに示すことができるという効果がある。
【図面の簡単な説明】
【００１６】
【図１】（ａ）は、本発明の実施形態であるＭＦＰの外観構成を示す斜視図であり、（ｂ）は、原稿カバーが開けられた状態のＭＦＰの外観構成を示す斜視図である。
【図２】（ａ）は、原稿読取台の内部構成を模式的に示す図であり、（ｂ）は、原稿読取台の断面を模式的に示す断面図である。
【図３】読取ユニットの移動を説明する図である。
【図４】ＭＦＰの電気的構成を模式的に示す図である。
【図５】ＭＦＰのＣＰＵが実行する読取処理を示すフローチャートである。
【発明を実施するための形態】
【００１７】
以下、本発明の好ましい実施形態について、添付図面を参照して説明する。図１（ａ）は、本発明の読取装置の第１実施形態である多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示す斜視図であり、図１（ｂ）は、原稿カバー８が開けられた状態のＭＦＰ１の外観構成を示す斜視図である。
【００１８】
ＭＦＰ１は、プリンタ２とスキャナ３とを一体的に備え、スキャナ機能、コピー機能、ファクシミリ機能など複数の機能を実現する。特に、本実施形態のＭＦＰ１は、原稿の置き方に誤りが生じにくいように構成されている。
【００１９】
操作パネル４は、ＭＦＰ１を操作するためのものであり、各種操作キーや液晶ディスプレイが設けられる。ユーザは、操作パネル４を用いて、ＭＦＰ１に所望の指令を入力する。原稿読取台６は、その上面が大きく開口されており、その開口部には、原稿を載置するための透明な板状のプラテンガラス１２が嵌め込まれている。このプラテンガラス１２は、Ａ３サイズの原稿を載置可能なように、Ａ３のサイズの原稿よりも若干大きく構成されている。以下の説明では、ＭＦＰ１の手前から見て、プラテンガラス１２の左手奥の頂点を、基準点１３と称する。ＭＦＰ１をフラッドベッドスキャナとして使用する場合、ユーザは、プラテンガラス１２の上面（載置面）において、原稿の頂点を基準点１３に合わせて載置する。
【００２０】
原稿カバー８は、図１（ａ）に示す閉状態においてプラテンガラス１２の載置面を覆うものであり、背面側の蝶番１１(図１（ｂ）)を介して開閉自在に取り付けられている。ユーザは、原稿カバー８を開けて、プラテンガラス１２の載置面に原稿を載置した後、原稿カバー８を閉じることにより、読み取り対象の原稿を固定する。
【００２１】
図２（ａ）は、原稿読取台６の内部構成を模式的に示す図であり、図２（ｂ）は、原稿読取台６の断面の構成を模式的に示す断面図である。図２（ａ），図２（ｂ）に示すように、プラテンガラス１２の下、すなわち原稿の載置面の裏面側には、長尺の読取ユニット１４と、読取ユニット１４を搬送する搬送機構１６と、搬送機構１６を駆動するモータ１７とが設けられる。
【００２２】
以下の説明においては、プラテンガラス１２の面に平行で且つ読取ユニット１４の長手方向に平行な方向を主走査方向と称する。また、プラテンガラス１２の面に平行で且つ主走査方向に直交する方向を副走査方向と称する。基準点１３を原点（０，０）とし、主走査方向をＸ方向、副走査方向をＹ方向とするＸＹ座標系により、主走査方向における位置をＸ座標で示し、副走査方向における位置をＹ座標で示すものとする。
【００２３】
読取ユニット１４には、原稿を照射するための光源１５が設けられる。光源１５は、主走査方向に沿って配列された複数個のＬＥＤから構成される。なお、図２には、図示を省略しているが、読取ユニット１４には、さらに、主走査方向に沿って配列されたイメージセンサ１８（図４）が設けられる。イメージセンサ１８としては、密着型のＣＩＳ（Ｃｏｎｔａｃｔ  Ｉｍａｇｅ  Ｓｅｎｓｏｒ）、縮小光学系のＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ：相補型金属酸化膜半導体）などを適用できる。
【００２４】
読取ユニット１４は、プラテンガラス１２の載置面の裏面側において、光源１５から原稿Ｐに光を照射し、原稿Ｐからの反射光をイメージセンサ１８により受光して光電変換することにより、画像データを生成する。
【００２５】
搬送機構１６は、読取ユニット１４を、副走査方向に往復移動可能に支持する。スキャナ３によれば、モータ１７の回転力により搬送機構１６を駆動し、これにより、読取ユニット１４をプラテンガラス１２に沿って副走査方向に搬送しつつ、プラテンガラス１２に伏せられた原稿Ｐを、１ラインずつ読取ユニット１４に読み取らせ、読取ユニット１４により生成された画像データを、ＲＡＭ２３（図４）に格納する。
【００２６】
図３は、原稿カバー８を開けた状態において、原稿読取台６を上から見た状態を模式的に示す図である。プラテンガラス１２は透明であるため、原稿カバー８を開けた状態において、ユーザは、プラテンガラス１２越しに読取ユニット１４を見ることができる。
【００２７】
図３（ａ）は、Ａ４サイズの原稿を縦向き（原稿の高さ方向が副走査方向に平行になる向き）で載置するように読取範囲１９が設定された場合における、読取ユニット１４の動作を説明する図である。待機中において、読取ユニット１４は、ホームポジションである基準点１３に位置する。そして、図３（ａ）に示すように読取範囲１９が設定されると、ＭＦＰ１は、原稿の読み取りを開始する前に、副走査方向における読取範囲端１９ａを示す位置まで、読取ユニット１４を移動させる。具体的には、Ａ４サイズの原稿の高さ分、基準点１３から副走査
方向へ離隔した位置まで、読取ユニット１４を移動させる。
【００２８】
したがって、ユーザは、プラテンガラス１２越しに見える読取ユニット１４の位置によって、副走査方向の読取範囲端１９ａを知った上で、原稿を載置できる。よって、原稿の置き方に誤りが生じることを抑制できる。
【００２９】
図３（ｂ）は、Ａ４サイズの原稿を横向き（原稿の幅方向が副走査方向に平行になる向き）で載置するように読取範囲１９が設定された場合における、読取ユニット１４の動作を説明する図である。図３（ｂ）に示すように、原稿の読み取りを開始する間に、副走査方向の読取範囲端１９ａを示す位置まで、読取ユニット１４を移動させることにより、副走査方向の読取範囲端１９ａをユーザに示すことができる。
【００３０】
さらに、ＭＦＰ１は、副走査方向の読取範囲端１９ａまで移動した読取ユニット１４において、光源１５を構成するＬＥＤを点灯させる。副走査方向の読取範囲端１９ａにおいて、ＬＥＤを点灯する場合、少なくとも、主走査方向の読取範囲端１９ｂと、副走査方向の読取範囲端１９ａとの交点の位置を示すＬＥＤから光を出射させると良い。このようにすれば、主走査方向の読取範囲端１９ｂと副走査方向の読取範囲端１９ａとが、ユーザに明確に示されるので、原稿が誤った向きで載置されることをより確実に防止できる。ここで、主走査方向の読取範囲端１９ｂと、副走査方向の読取範囲端１９ａとの交点の位置を示すＬＥＤとは、読取ユニット１４に設けられた複数個のＬＥＤのうち、読取範囲端１９ａ，１９ｂの交点の最近傍に位置するＬＥＤを意味している。
【００３１】
ＭＦＰ１によれば、読取ユニット１４を利用して、読取範囲端１９ａ，１９ｂをユーザに示すことができるので、読取範囲端１９ａ，１９ｂを示すための部材を新たに設ける必要が無い。よって、構造の複雑化を抑制し、製造コストを抑制できる。なお、読取範囲端１９ａ，１９ｂをユーザに示すためには、例えば、原稿読取台６やプラテンガラス１２に、読取範囲端１９ａ，１９ｂを示すためのＬＥＤ等を埋め込み、これを点灯させることも考えられるが、このようにすると、構造や配線が複雑化する上、ＬＥＤ周囲の隙間から、ゴミなどの異物が装置の内部に入るおそれがある。これに対して、本実施形態のＭＦＰ１によれば、原稿読取台６内に設けられた読取ユニット１４を利用するので、このような不都合を回避できる。
【００３２】
図４は、ＭＦＰ１の電気的構成を模式的に示したブロック図である。図４に示すように、ＭＦＰ１には、ＣＰＵ２１、ＲＯＭ２２、ＲＡＭ２３、フラッシュメモリ２４、プリンタ２、スキャナ３、操作パネル４、ＮＣＵ３１、モデム３２、カバーセンサ３３が主に設けられている。ＣＰＵ２１、ＲＯＭ２２、ＲＡＭ２３、フラッシュメモリ２４は、バスライン２６を介して互いに接続されている。また、プリンタ２、スキャナ３、操作パネル４、ＮＣＵ３１、モデム３２、カバーセンサ３３、バスライン２６は、ＡＳＩＣ２７に接続されている。
【００３３】
ＣＰＵ２１は、ＲＯＭ２２やＲＡＭ２３やフラッシュメモリ２４に記憶される固定値やプログラム或いは、ＮＣＵ３１を介して送受信される各種信号に従って、ＭＦＰ１が有している各機能の制御や、ＡＳＩＣ２７と接続された各部を制御するものである。ＲＯＭ２２は、制御プログラム２２ａなどを格納した不揮発性メモリである。ＣＰＵ２１は、制御プログラム２２ａに従い、後述する読取処理（図５）を実行する。
【００３４】
ＲＡＭ２３は、書換え可能な揮発性のメモリであり、範囲設定メモリ２３ａ、読取範囲端メモリ２３ｂ、タイマ２３ｃが設けられる。範囲設定メモリ２３ａには、原稿のサイズと、原稿の載置の向きとが設定される。なお、範囲設定メモリ２３ａに設定される原稿のサイズおよび原稿の載置の向きは、ユーザによって操作パネル４から入力されても良いし、前回の原稿の読み取りにおいて用いられた設定値が、そのまま範囲設定メモリ２３ａに設定されても良い。
【００３５】
読取範囲端メモリ２３ｂには、範囲設定メモリ２３ａに設定された原稿のサイズと原稿の載置の向きとに基づいて決定される主走査方向の読取範囲端１９ｂを示すＸ座標と、副走査方の読取範囲端１９ａを示すＹ座標とが設定される。タイマ２３ｃは、スキャナ３による原稿の読み取りが行われてからの経過時間を計時する。
【００３６】
フラッシュメモリ２４は、書換可能な不揮発性のメモリであり、自動設定フラグ２４ａが設けられる。自動設定フラグ２４ａがオンになっている場合、ＭＦＰ１は、範囲設定メモリ２３ａに設定された設定値に関わらず、プラテンガラス１２に載置された原稿のサイズを図示しない原稿センサにより検出し、載置された原稿のサイズに応じて読取範囲１９を自動的に決定する。一方、自動設定フラグ２４ａがオフになっている場合、ＭＦＰ１は、範囲設定メモリ２３ａに設定された設定値に基づいて、読取範囲１９を設定する。
【００３７】
プリンタ２は、インクジェットプリンタであり、スキャナ３により生成された画像データや、ファクシミリ受信した画像データを、用紙に印刷出力する。
【００３８】
スキャナ３は、光源１５に電流を供給する電流制御回路２８、イメージセンサ１８が出力する信号を処理するＡＦＥ２９、モータ１７を駆動する駆動回路３０などを備える。電流制御回路２８は、ＡＳＩＣ２７から入力される信号に基づいて、光源１５を構成するＬＥＤへ電流を供給し、ＬＥＤを点灯させる。なお、ＣＰＵ２１は、ＡＳＩＣ２７を介して、電流制御回路２８に入力する信号を調整することにより、光源１５が出射する光の明るさを調整できる。また、ＣＰＵ２１は、ＡＳＩＣ２７を介して、電流制御回路２８を制御することにより、光源１５を構成する各ＬＥＤを個別に点灯させることができる。
【００３９】
ＮＣＵ３１は、電話回線の制御を行う。モデム３２は、ファクシミリ送信時には送信信号を変調し、ファクシミリ受信時には電話回線から送られてきた変調信号を復調する。カバーセンサ３３は、原稿カバー８の開閉状態を検出するセンサである。
【００４０】
図５は、ＭＦＰ１のＣＰＵ２１が実行する読取処理を示すフローチャートである。この処理は、プラテンガラス１２に載置された原稿を読み取る処理であって、操作パネル４からの入力により、スキャンが指示された場合に開始される。なお、この処理の開始前に、範囲設定メモリ２３ａには、原稿のサイズと原稿の載置の向きとが設定されているものとする。
【００４１】
まず、ＣＰＵ２１は、ステップＳ５０２（以下、ステップを略す）において、自動設定フラグ２４ａがオンに設定されているか否かを判断する（Ｓ５０２）。自動設定フラグ２４ａがオフに設定されている場合、すなわち、読取範囲１９を自動的に決定する設定が選択されていないと判断される場合（Ｓ５０２：Ｎｏ）、ＣＰＵ２１は、範囲設定メモリ２３ａに設定された原稿のサイズに基づいて、プラテンガラス１２の載置面において縦向き横向きの二方向に原稿を配置可能か否かを判断する（Ｓ５０４）。本実施形態のＭＦＰ１において、プラテンガラス１２は、Ａ３サイズの原稿よりも若干大きく構成されている。よって、範囲設定メモリ２３ａに設定された原稿のサイズがＡ３以上である場合には、１方向にのみ原稿を載置可能であるため、Ｓ５０４の判断が否定される。一方、例えば、Ａ４サイズの原稿のように、その長辺の長さが、プラテンガラス１２の短辺の長さよりも短い場合、縦向き横向きの二方向に原稿を載置可能であるため、Ｓ５０４の判断が肯定される。
【００４２】
Ｓ５０４の判断が肯定される場合（Ｓ５０４：Ｙｅｓ）、ＣＰＵ２１は、原稿カバー８が開状態にあるか否かを、カバーセンサ３３が出力する信号に基づいて判断する（Ｓ５０６）。原稿カバー８が閉状態にある場合（Ｓ５０６：Ｎｏ）、ＣＰＵ２１は処理を待機する。原稿カバー８が閉状態にある場合、読取ユニット１４を副走査方向の読取範囲端１９ａに移動させても、ユーザには見えないからである。
【００４３】
一方、原稿カバー８が開状態にある場合（Ｓ５０６：Ｙｅｓ）、ＣＰＵ２１は、前回の読取処理により原稿を読み取ってから、所定時間（例えば、５分）以上を経過したか否かを、タイマ２３ｃにより計時された時間に基づいて判断する（Ｓ５０８）。原稿を読み取った後、所定時間以上を経過していると判断される場合（Ｓ５０８：Ｙｅｓ）、ＣＰＵ２１は、範囲設定メモリ２３ａから、原稿のサイズと原稿の載置の向きとを読み込む（Ｓ５１０）。そして、ＣＰＵ２１は、これらに基づいて主走査方向の読取範囲端１９ｂと、副走査方向の読取範囲端１９ａとを決定し、それらの位置を示すＸ座標およびＹ座標を、読取範囲端メモリ２３ｂに設定する（Ｓ５１１）。具体的には、例えば、ＲＯＭ１２等に、原稿のサイズと原稿の載置の向きとに対応付けて、読取範囲端１９ａ，１９ｂのＸ座標，Ｙ座標を予め記憶しておき、これを利用して、読取範囲端１９ａ，１９ｂを決定しても良い。
【００４４】
次に、ＣＰＵ２１は、副走査方向の読取範囲端１９ａを示す位置まで読取ユニット１４を移動させる（Ｓ５１２）。原稿カバー８の開状態が検出されることを条件として、副走査方向の読取範囲端を示す位置まで読取ユニット１４を移動させるので、読取ユニット１４をユーザが視認できる状態で、読取ユニット１４を移動させることができる。
【００４５】
次に、ＣＰＵ２１は、読取ユニット１４の光源１５を構成するＬＥＤのうち、主走査方向の読取範囲端１９ｂと、副走査方向の読取範囲端１９ａとの交点の位置を示すＬＥＤを点灯する（Ｓ５１４）。なお、Ｓ５１４においては、電流制御回路２８から出力する電流を調整することにより、原稿を読み取る場合に比較して、ＬＥＤから出射する光を暗くしてもよい。このようにすれば、消費電力を節約できる。
【００４６】
次に、ＣＰＵ２１は、操作パネル４に設けられたスタートボタンが押下されたか否かを判断する（Ｓ５１８）。押下されない場合（Ｓ５１８：Ｎｏ）、ＣＰＵ２１は、処理を待機する。一方、スタートボタンが押下されると（Ｓ５１８：Ｙｅｓ）、ＣＰＵ２１は、原稿を読み取る（Ｓ５２０）。なお、この時点において、読取ユニット１４は、副走査方向の読取範囲端１９ａに位置している。よって、ＭＦＰ１は、副走査方向の読取範囲端１９ａからホームポジションへ向かう方向へ、読取ユニット１４を移動させつつ、原稿を読み取り、画像データを生成する。このようにすれば、読取ユニット１４をホームポジションに戻してから読み取りを開始する場合に比較して、処理時間を短縮できる。
【００４７】
次に、ＣＰＵ２１は、生成した画像データに１８０°の回転処理を施して、ＲＡＭ２３に格納する（Ｓ５２２）。このようにすれば、ホームポジションから読み取りを開始した場合と同じ向きで、画像データを生成できる。次に、ＣＰＵ２１は、タイマ２３ｃを０にクリアしてカウントスタートし（Ｓ５２４）、処理を終了する。
【００４８】
なお、自動設定フラグ２４ａがオンに設定されている場合（Ｓ５０２：Ｙｅｓ）、または、１方向にのみ載置可能な原稿サイズが設定されている場合（Ｓ５０４：Ｎｏ）、または、前回原稿を読み取った後、所定時間以上を経過していない場合（Ｓ５０８：Ｎｏ）、ＣＰＵ２１は、操作パネル４に設けられた図示しないスタートボタンが押下されたか否かを判断する（Ｓ５２６）。そして、スタートボタンが押下されない間（Ｓ５２６：Ｎｏ）、ＣＰＵ２１は、処理を待機し、スタートボタンが押下された場合（Ｓ５２６：Ｙｅｓ）、ＣＰＵ２１は、ホームポジションから副走査方向へ読取ユニット１４を移動させながら、原稿を読み取る（Ｓ５２８）。そして、ＣＰＵ２１は、タイマ２３ｃを０にクリアしてカウントスタートし（Ｓ５２４）、処理を終了する。
【００４９】
読取処理によれば、前回原稿を読み取った後、所定時間以上を経過していると判断される場合に、読取範囲端１９ａ，１９ｂをユーザに示すための動作を行うので、ユーザが読取範囲１９を把握していない可能性が高い場合において、読取範囲端１９ａ，１９ｂをユーザに示すことができる。一方、あるユーザが１ページ目の読み取りを終了し、同じユーザが続けて２ページ目以降を読み取ろうとする場合には、前回原稿を読み取ってからの経過時間が所定時間未満であると判断されるので、読取範囲端１９ａ，１９ｂをユーザに示すことなく、通常通り、原稿の読み取りを開始できる。
【００５０】
また、読取処理によれば、自動設定フラグ２４ａがオフに設定されている場合、すなわち、読取範囲１９からはみ出るように原稿が置かれる可能性がある場合において、読取範囲端１９ａ，１９ｂをユーザに示すことができる。一方、自動設定フラグ２４がオンに設定されており、原稿のサイズに合わせて読取範囲１９が自動的に設定される場合には、読取範囲端１９ａ，１９ｂをユーザに示すことなく、通常通り、原稿の読み取りを開始できる。
【００５１】
上記実施形態において、原稿カバー８がカバーの一例である。プラテンガラス１２の上面が載置面の一例である。読取ユニット１４が読取部の一例である。カバーセンサ３３が検出手段の一例である。副走査方向が第１方向の一例であり、主走査方向が第２方向の一例である。Ｓ５０２を実行するＣＰＵ２１が設定判断手段の一例である。Ｓ５０８を実行するＣＰＵ２１が時間判断手段の一例である。Ｓ５１１を実行するＣＰＵ２１が第１決定手段および第２決定手段の一例である。Ｓ５１２を実行するＣＰＵ２１が移動制御手段の一例である。Ｓ５１４を実行するＣＰＵ２１が光制御手段の一例である。Ｓ５２０，Ｓ５２８を実行するＣＰＵ２１が読取制御手段の一例である。
【００５２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００５３】
例えば、上記実施形態では、主走査方向の読取範囲端１９ｂと、副走査方向の読取範囲端１９ａとの交点の位置を示すＬＥＤを点灯させた。これに代えて、読取ユニット１４の光源１５のうち、主走査方向の読取範囲に含まれる全ての光源１５から、光を出射させても良い。
【００５４】
また、副走査方向の読取範囲端１９ａに移動させた読取ユニット１４において、光源１５を点滅させても良い。このようにすれば、より確実に、読取範囲１９をユーザに認識させることができる。
【００５５】
また、上記実施形態において、光源１５は、主走査方向に配列された複数個のＬＥＤから構成されるものとして説明した。しかしながら、読取ユニット１４の長手方向端部にＬＥＤが設けられ、当該ＬＥＤが出射する光が、導光体によって主走査方向に導かれるように構成されている場合、または、光源１５が蛍光灯で構成されている場合においても、本発明は適用可能である。これらの場合、主走査方向における一部の領域から選択的に光を出射することが困難となる。しかしながら、これらの場合であっても、読取ユニット１４の位置によって、副走査方向の読取範囲端１９ａをユーザに示すことができるので、本発明を適用可能である。
【００５６】
また、上記実施形態では、スキャン機能、コピー機能、ファクシミリ機能を備えるＭＦＰ１に本発明を適用していたが、コピー機能、ファクシミリ機能を備えない装置であっても、本発明を適用可能である。
【００５７】
また、コピーまたはファクシミリ送信を実行するために原稿を読み取る場合においても、本発明を適用可能である。
【００５８】
また、上記実施形態においては、光源１５とイメージセンサ１８とが読取ユニット１４に設けられて、共に副走査方向に移動するものとして説明した。しかしながら、副走査方向に往復移動可能に設けられた読取部には、光源またはイメージセンサのいずれか一方が搭載され、他方は固定されている場合においても、本発明を適用可能である。
【００５９】
また、上記実施形態においては、副走査方向の読取範囲端１９ａを示すための動作を行った場合、副走査方向の読取範囲端１９ａからホームポジションに戻す方向へ、原稿を読み取るものとして説明した。しかしながら、読取ユニット１４をホームポジションに戻し、ホームポジションから原稿の読み取りを開始しても良い。この場合、画像データの回転処理（Ｓ５２２）を行わなくて良い。
【００６０】
また、上記実施形態の読取処理（図５）によれば、一方向のみに載置可能な原稿サイズであると判断された場合には（Ｓ５０４：Ｎｏ）、副走査方向の読取範囲端１９ａを示すための動作を行わなかった。しかしながら、Ｓ５０４の判断を省略することにより、一方向のみに載置可能であるか、または、縦方向および横方向の二方向に載置可能であるかに関わらず、副走査方向の読取範囲端１９ａを示すための動作を行うように、読取処理（図５）を構成しても良い。
＜その他＞
＜手段＞
技術的思想１記載の読取装置は、原稿を載置するための透光性を有する載置面と、前記載置面の裏面側において、第１方向に往復移動可能に設けられた読取部と、前記第１方向における読取範囲端を決定する第１決定手段と、前記第１方向における前記読取部の基準位置と前記第１決定手段により決定される前記第１方向の読取範囲端との間において、前記読取部を移動させつつ、前記原稿を読み取る読取制御手段と、前記読取制御手段により前記原稿の読み取りを開始する前に、前記第１方向の読取範囲端を示す位置まで前記読取部を移動させる移動制御手段とを備える。
技術的思想２記載の読取装置は、技術的思想１記載の読取装置において、前記読取部は、前記載置面に載置された原稿を照射する光源を備え、前記読取制御手段は、前記光源から出射されて前記原稿で反射された反射光に基づいて前記原稿を読み取るものであり、前記読取制御手段により前記原稿の読み取りを開始する前において、前記第１方向の読取範囲端に位置する前記読取部の光源から、光を出射させる光制御手段を備える。
技術的思想３記載の読取装置は、技術的思想２記載の読取装置において、前記光源は、前記第１方向と交差する第２方向に沿って複数個配列されたものであり、前記第２方向における読取範囲端を決定する第２決定手段を備え、前記光制御手段は、前記複数個の光源のうち少なくとも、前記第１決定手段により決定された前記第１方向の読取範囲端と、前記第２決定手段により決定された前記第２方向の読取範囲端との交点の位置を示す光源から、光を出射させる。
技術的思想４記載の読取装置は、技術的思想１から３のいずれかに記載の読取装置において、前記読取制御手段は、前記移動制御手段により前記第１方向の読取範囲端を示す位置まで前記読取部を移動させた後に前記原稿の読み取りを開始する場合、前記第１方向の読取範囲端を示す位置から前記基準位置へ向かう方向へ、前記読取部を移動させつつ、前記原稿を読み取る。
技術的思想５記載の読取装置は、技術的思想１から４のいずれかに記載の読取装置において、前記載置面を覆うカバーと、前記カバーの開閉状態を検出する検出手段とを備え、前記移動制御手段は、前記検出手段により前記カバーの開状態が検出されることを条件として、前記第１方向の読取範囲端を示す位置まで前記読取部を移動させる。
技術的思想６記載の読取装置は、技術的思想１から５のいずれかに記載の読取装置において、前記読取制御手段により前記原稿を読み取った後、所定時間以上を経過しているかを判断する時間判断手段を備え、前記移動制御手段は、前記時間判断手段により、前記原稿を読み取った後、前記所定時間以上を経過していると判断されることを条件として、前記第１方向の読取範囲端を示す位置まで前記読取部を移動させる。
技術的思想７記載の読取装置は、技術的思想１から６のいずれかに記載の読取装置において、前記載置面に載置された原稿のサイズに応じて前記読取範囲を自動的に決定する設定が選択されているかを判断する設定判断手段を備え、前記移動制御手段は、前記設定判断手段により、前記読取範囲を自動的に決定する設定が選択されていないと判断されることを条件として、前記第１方向の読取範囲端を示す位置まで前記読取部を移動させる。
＜効果＞
技術的思想１記載の読取装置によれば、原稿の読み取りを開始する前に、第１方向の読取範囲端を示す位置まで読取部が移動させられる。ここで、載置面は透光性を有するので、ユーザは、載置面を通して読取部の位置を視認できる。したがって、ユーザは、読取部の位置によって、第１方向における読取範囲端を知った上で、原稿を載置できるので、原稿の置き方に誤りが生じることを抑制できるという効果がある。
技術的思想２記載の読取装置によれば、技術的思想１記載の読取装置の奏する効果に加え、第１方向の読取範囲端に位置する読取部の光源から、光が出射されるので、第１方向における読取範囲端をユーザに明確に示すことができ、原稿の置き方に誤りが生じることを抑制できるという効果がある。
技術的思想３記載の読取装置によれば、技術的思想２記載の読取装置の奏する効果に加え、第１方向の読取範囲端と、第２方向の読取範囲端との交点の位置を示す光源から、光が出射されるので、第１方向における読取範囲端と第２方向における読取範囲端とを、ユーザに明確に示すことができ、原稿の置き方に誤りが生じることを抑制できるという効果がある。
技術的思想４記載の読取装置によれば、技術的思想１から３のいずれかに記載の読取装置の奏する効果に加え、第１方向の読取範囲端を示す位置まで読取部を移動させた後に原稿の読み取りを開始する場合には、第１方向の読取範囲端を示す位置から基準位置へ向かう方向へ、読取部を移動させつつ原稿が読み取られるので、読取部を基準位置に戻してから読み取りを開始する場合に比較して、処理時間を短縮できるという効果がある。
技術的思想５記載の読取装置によれば、技術的思想１から４のいずれかに記載の読取装置の奏する効果に加え、カバーの開状態が検出されることを条件として、第１方向の読取範囲端を示す位置まで読取部を移動させるので、読取部をユーザが視認できる状態において、読取部を移動させることができるという効果がある。
技術的思想６記載の読取装置によれば、技術的思想１から５のいずれかに記載の読取装置の奏する効果に加え、原稿を読み取った後、所定時間以上を経過していると判断されることを条件として、第１方向の読取範囲端を示す位置まで読取部が移動されるので、ユーザが読取範囲を把握していない可能性が高い場合において、読取範囲をユーザに示すことができるという効果がある。
技術的思想７記載の読取装置によれば、技術的思想１から６のいずれかに記載の読取装置の奏する効果に加え、読取範囲を自動的に決定する設定が選択されていないと判断されることを条件として、第１方向の読取範囲端を示す位置まで読取部が移動されるので、読取範囲からはみ出るように原稿が置かれる可能性がある場合において、読取範囲をユーザに示すことができるという効果がある。
【符号の説明】
【００６１】
１              ＭＦＰ
８              原稿カバー
１４            読取ユニット
１５            光源
１９            読取範囲
１９ａ          副走査方向の読取範囲端
１９ｂ          主走査方向の読取範囲端
３３            カバーセンサ
【図１】
0005740973.tif 000002
【図２】
0005740973.tif 000003
【図３】
0005740973.tif 000004
【図４】
0005740973.tif 000005
【図５】
0005740973.tif 000006